(57)【要約】【課題】多数のコネクタを対象に、コネクタ抜けを検出できるコネクタ抜け検出手段を提供する。【解決手段】多数のコネクタ１〜６を対象にすくなくとも１つのコネクタ抜けを検出するために、多数のコネクタ１〜６に２本の連結確認用ピン（Ｐ１，Ｐ２）〜（Ｐ１１，Ｐ１２）を設け、連結確認用ピンのすべてを直列に接続して信号入出力検出器９に接続する。信号入出力検出器９は形成された電気的閉ループを監視して、この閉ループの開放によりコネクタ抜けを検出する。【選択図】　　　図１
2004063142.tif 000002
【特許請求の範囲】
【請求項１】
複数のコネクタに各々２本の連結確認用ピンを設け、前記連結確認用ピンのすべてを直列に接続して電気的閉ループを構成し、前記閉ループを監視することによりコネクタ抜けを検出することを特徴とするコネクタ抜け検出方法。
【請求項２】
各々２本の連結確認用ピンを備える複数のコネクタと、前記連結確認用ピンが前記複数のコネクタに亘って直列に結線されて閉ループを構成する電気回路と、前記電気回路の開放を検出してコネクタ抜けを検出する検出手段を備えることを特徴とするコネクタ抜け検出装置。
【請求項３】
複数のコネクタとコネクタ抜け検出手段を備えた医療用装置であって、前記複数のコネクタは各々２本の連結確認用ピンを有し、前記連結確認用ピンは前記複数のコネクタすべてに亘って電気的に直列に結線され、前記コネクタ抜け検出手段に接続されることを特徴とする医療用装置。
【請求項４】
前記２本の連結確認用ピンは、コネクタ前面の対角線上にある両端のピンであることを特徴とする請求項１〜３のいずれか１項に記載の医用療装置。
【請求項５】
前記コネクタ抜け検出手段は、パラレルＩ／Ｏであることを特徴とする請求項３に記載の医療用装置。
【発明の詳細な説明】
【０００１】
【発明の属する技術分野】
本発明は、多数のコネクタが配置された装置のコネクタ抜け防止技術に関し、特に持続的血液ろ過装置等の医療用装置におけるコネクタ抜け防止技術に関する。
【０００２】
【従来の技術】
従来から電子回路基板を搭載した装置においては、基板やケーブルなどの接続部として多数のコネクタが使われている。このコネクタは、機器の振動、移動や輸送により外れる場合がある。また、機器の設置の際のコネクタの差込みが不十分の場合もないとはいえない。そのため、装置の正常な動作を保証するためには、コネクタの接続の確認を十分に行う必要があった。
【０００３】
特に、持続的血液ろ過装置、透析装置、人工心肺装置、人工心臓装置、人工呼吸器、画像診断装置等の医療用装置においては、運転中にコネクタ抜けが生じた場合は重大な事故につながることが予想できる。
【０００４】
例えば、持続的血液ろ過装置は、血液中に老廃物を蓄積した患者や水分過多症の患者の治療等に用いられるもので、ろ過膜を用い、膜間にかけた圧力差によって血液そのものが膜の孔を通って移動し、孔の大きさよりも大きい溶質が選択的に除去されるもので、通常除去した水分の体液成分を補液として補給しながら行われる。血液ろ過は体液バランスを厳密に管理しながら長時間かけて行われる必要がある。
【０００５】
このような装置にあっては、装置のどのコネクタが抜けても重大な事故となる可能性があるにもかかわらず、運転前の保守点検はなされていても、運転中のコネクタ抜けについてはチェックが困難である。
【０００６】
従来、一般にコネクタ抜け検出のために、次のような技術が提案されている。
すなわち、一対の回路パッケージ間のコネクタ抜けを検出するために、一方の回路パッケージに計数パルス及びリセットパルスを発生するパルス発生回路とカウンタを設け、リセットパルスをコネクタの送信側から他方のパッケージのコネクタの受信側へ送出し、他方のコネクタの送信側から戻ってくるリセットパルスでカウンタをリセットするように構成する。このように構成すると、コネクタ抜けがあればリセットパルスが戻ってこず、カウンタからオーバーフロー信号が発生してコネクタ抜けを検出できるというものがある（特開平４−３０６４５号公報参照）。
【０００７】
また、コネクタにより接続される基板の一方に信号供給手段を設け、他方の基板には基板間の接続不良を指示する手段を設け、コネクタの両側端のピンを利用して、一方の基板からコネクタを介して他方の基板へ信号を供給し、この信号が受信できないときにはコネクタ抜けと判断するものがある（特開平２−１６５５８１号公報参照）。
しかしながら、多数のコネクタを対象に一度にすべてのコネクタ抜けを検出できる手段は知られていなかった。
【０００８】
【発明が解決しようとする課題】
本発明は、前記問題点に鑑み、多数のコネクタを対象に、ごく簡単な構成で、コネクタ抜けを検出できる方法及び装置並びにコネクタ抜け検出手段を用いた医療用装置を提供することを目的とする。
【０００９】
【課題を解決するための手段】
本発明の方法は、複数のコネクタを対象にすくなくとも１つのコネクタ抜けを検出するために、複数のコネクタの各々に２本の連結確認用ピンを設け、連結確認用ピンのすべてを直列に接続して電気的閉ループを構成し、この閉ループを監視するものである。
【００１０】
また、本発明の装置は、各々２本の連結確認用ピンを備える複数のコネクタと、連結確認用ピンが直列に結線されて閉ループを構成する電気回路と、電気回路の開放を検出してコネクタ抜けを検出する検出手段とを備える。
【００１１】
さらに、本発明の医療用装置は、装置に設けられた複数のコネクタが各々２本の連結確認用ピンを有し、前記連結確認用ピンは前記複数のコネクタすべてに亘って電気的に直列に結線されてコネクタ抜け検出器に接続されるものである。
【００１２】
このように構成したことによって、１個の信号ライン及び１個の信号によって、複数のコネクタに対してコネクタ抜けが検出できる。
【００１３】
【発明の実施の形態】
図を参照して、本発明の実施の態様を説明する。
図１は、本発明の一実施形態の概略図である。
本発明の一実施形態は、電子回路部品等（図示せず）を搭載した電子回路基板１０及び２０を備え、電子回路基板１０は、コネクタ１，２及び５を備え、電子回路基板２０は、コネクタ３，４及び６を備える。図示はしないが、コネクタ１〜４は、各種センサやアクチュエータ等に接続されている。コネクタ５及び６は、電子回路基板１０及び２０を接続するためのものである。また、各種センサ、アクチュエータの信号の入出力のための信号入出力検出器９が電子回路基板２０に配置されている。信号入出力検出器９の具体例として、パラレルＩ／Ｏ、アナログＩ／Ｏ、パルス信号検出器などを挙げることができる。また、本発明のコネクタは、ケーブルであってもよいし、形状種類に関わらず各種のコネクタを用いることができる。
【００１４】
本例では、各コネクタ１〜６の両端のピン２本（Ｐ１，Ｐ２）〜（Ｐ１１，Ｐ１２）をコネクタの連結確認用に割り当てる。このピンは雌雄いずれでもよい。
一般的には、通常のコネクタの両端の２本に連結確認用のピンを割り当てることになる。そして、コネクタ１〜４のように、末端のコネクタ、すなわち、当該コネクタの先に他のコネクタが存在しない場合、その両端のピン（Ｐ１，Ｐ２）〜（Ｐ７，Ｐ８）は互いに電気的に直接接続（短絡）する。通常、コネクタ内部で両者が接続するように結線するが、コネクタの外部で結線してもよい。また、コネクタ５及び６のように、コネクタの先に他のコネクタが存在する場合には、両端のピン（Ｐ９，Ｐ１０）及び（Ｐ１１，Ｐ１２）は連結しない。そして、各コネクタ１〜６の連結確認用のピンＰ１〜Ｐ１２がすべて直列に接続されるように、基板内を配線し信号入出力検出器９に接続する。
【００１５】
このように構成して各コネクタを接続すると、各コネクタの連結確認用のピンＰ１〜Ｐ１２はすべて直列に接続されて信号入出力検出器９に接続される。各コネクタ１〜６が正常に接続されていると、形成される電気回路は直列の閉ループを構成する。信号入出力検出器９の一方の端子９ａは電源電圧例えば５Ｖに抵抗を介して接続されているから、正常に閉ループが形成されていると端子９ａの電圧は接地電位０Ｖであり、閉ループが形成されなくなると端子９ａには５Ｖが印加される。したがって、例えばマイクロプロセッサで端子９ａの電位のハイレベル及びローレベルを監視していれば、閉ループの状態がわかり、コネクタの抜けが検出される。
【００１６】
したがって、信号入出力検出器９の信号１つで、装置のすべてのコネクタの連結状態の検出が可能である。すなわち、どこか一個所でも抜けがあれば、信号ラインがとぎれてコネクタ抜けが検出される。このように、多数のコネクタがあっても、検出手段はパラレルポートが１ポートで済み、ごく簡単な構成でコネクタ抜けが検出できる。
【００１７】
検出信号により視覚的聴覚的な表示を行うことにより、又は無線や有線により他の場所に視覚的聴覚的な表示を行うことにより、装置の運転中であっても即座にコネクタ抜けを知らせることができ、医師等により安全に装置を停止させることができる。また、装置によっては、コネクタ抜けを検出すると検出信号によって自動的に装置を停止させ、代替装置に代えることもできる。
【００１８】
また、本例のように、連結確認用のピンが両端に割り当てられていると、コネクタのピンが斜めに抜けかけている半抜けの場合でも検出することができる。コネクタのピンが複数列に配置されている場合には、コネクタ前面の対角線上にある両端のピンを割り当てるとよい。
【００１９】
図２は、本発明の他の実施態様を示すもので、図１に示すものに電子回路基板３０が付加されてなる。図１と同一の部材には同一の符号を付して示した。
【００２０】
本例の場合は、電子回路基板１０及び２０とともに電子回路基板３０を有し、電子回路基板３０は電子回路基板１０とコネクタ１’及び７を介して接続されている。コネクタ１’はコネクタ１と異なり、コネクタ１’の両端のピン（Ｐ１’，Ｐ２’）は連結されず、コネクタ７のピン（１３，１４）に連結されている。基板３０にはコネクタ７以外に他のコネクタが存在しない。このような場合には、基板に配線を施すことなく、コネクタ７において、連結確認用のピンをコネクタ２等と同様に電気的に短絡するだけでよい。
【００２１】
本例においても、コネクタ１’〜７の２本の連結確認用ピンＰ１’，Ｐ２’，Ｐ３〜Ｐ１４が信号入出力検出器９を介して直列に接続される電気回路を形成し、いずれかのコネクタにコネクタ抜けがあれば、この直列の閉ループが開放してコネクタ抜けが検出される。
【００２２】
また、上記のように構成したコネクタ抜け検出手段を持続的血液ろ過装置に組み込んで、コネクタ抜けをメインルーチンで常時監視するソフト構成とすると、１つでもコネクタが抜けた場合速やかに警報を発し、装置を安全に停止させることができる。
【００２３】
このように、多数のコネクタが設けられ、どの１つの抜けも大きな事故につながるような医療用装置においては、本発明のコネクタ抜け検出手段を装置に組み込むことは、運転中においてもコネクタの抜けを検出でき、患者に対する重大事故を防ぐことができるという顕著な効果を奏する。
【００２４】
【発明の効果】
以上説明したように、本発明はごく簡単な構成、すなわち１つの信号ラインと１つの入力信号により、複数のコネクタに対してそのコネクタ抜けを検出することができ、特に医療装置に適用した場合には医療装置の作動中の重大事故を事前に防ぐことができるという多大の効果を奏する。
【図面の簡単な説明】
【図１】本発明の一実施形態を示す概略図である。
【図２】本発明の他の実施形態を示す概略図である。
【符号の説明】
１〜７…コネクタ
１０〜３０…電子回路基板
９…信号入出力検出器
【図１】
2004063142.tif 000003
【図２】
2004063142.tif 000004